(57)【特許請求の範囲】
【請求項１】
米受け容器及びぬか受け容器を収納ケースに出し入れ自在に収納し、該収納ケースを精米機本体の内部に出し入れ自在に収納してなる精米機において、前記収納ケースに米受け容器及びぬか受け容器の収納部分を区画する間仕切りを設けるとともに、上記収納ケースの底面の高さに、米受け容器及びぬか受け容器に応じて差を設け、前記米受け容器及びぬか受け容器としてそれぞれ密閉用の蓋を備えた容器を用いたことを特徴とする精米機。
【発明の詳細な説明】
【０００１】
【発明の属する技術分野】
この発明は、一般家庭等において使用される簡易な精米機に関するものである。
【０００２】
【従来の技術】
この種の精米機は、精米機本体の内部底面上に米受け容器とぬか受け容器を出し入れ自在に収納し、精米機構部から排出される精白米をその米受け容器で受け、また同時に排出されるぬかをぬか受け容器で受けるようにしている（例えば、特開２０００−１１７１２４号公報参照）。この場合の各容器は、その精米機に適合するように設計された上端開放の専用品であり、この専用品に替えて市販の適宜な容器を用いることは一般的に不可能である。
【０００３】
また、米受け容器のみ精米機の内部に設置し、ぬか受け容器を外部に設置する形式のものもある。この場合は外部に設置されるぬか受け容器は任意な一般的な容器、即ち市販の容器を用いることができるが、内部に設置される米受け容器は専用品であり、この場合もその米受け容器を市販の容器に替えることは一般的に不可能である。
【０００４】
【発明が解決しょうとする課題】
前述のように、従来の精米機においては米受け容器、ぬか受け容器として専用品を使用することが一般的であったので、精米後の米やぬかを保存する場合は、蓋付きの、望ましくは密閉式の別の容器に移し替える必要があった。仮に、専用品の米受け容器、ぬか受け容器をそのまま保存容器として使用するとすると、密閉措置を施す必要があり、またその間は精米機を使用できない不便があった。
【０００５】
そこで、この発明は、米受け容器及びぬか受け容器として、専用品ではない市販の容器、即ち一般容器を使用できるようにし、前記のような不便を解消することを課題とする。
【０００６】
【課題を解決するための手段】
上記の課題を解決するために、この発明は、精米機本体の内部に米受け容器及びぬか受け容器を出し入れ自在に収納してなる精米機において、前記米受け容器及びぬか受け容器として一般容器を用い、これらの各容器を上記精米機本体の内部に出し入れ自在に設けられた収納ケースに収納した構成を採用したものである。
【０００７】
上記の構成によると、米受け容器とぬか受け容器は市販の容器であっても、収納ケースに収納されているので、支障なく出し入れすることができる。また、収納ケースに対し各容器を位置決めし、且つ収納ケースを精米機本体に位置決めすることにより、精米機構部の米及びぬかの排出口に対する各容器の位置が定められる。
【０００８】
また、上記各容器が密閉状態に嵌着される蓋を備えたものであり、精米機本体に収納して米受け容器及びぬか受け容器として使用するときは、その蓋を外して使用する構成をとることができる。この構成によると、精米機本体から取り出した米受け容器及びぬか受け容器に蓋を密閉することにより、内部の米及びぬかを保存することができる。精米機を運転する際は、替わりの一般容器を米受け容器及びぬか受け容器として使用する。
【０００９】
上記収納ケースに米受け容器及びぬか受け容器の収納部分を区画する間仕切りを設けた構成や、上記収納ケースの底面の高さに、米受け容器及びぬか受け容器に応じて差を設けた構成をとることで、収納ケースに対する各容器の適合性を良好にすることができる。
【００１０】
【発明の実施の形態】
以下、この発明の実施形態を添付図面に基づいて説明する。図１に示すように、この精米機は、精米機本体１と、その上に着脱自在に設置された計量米びつ２とからなる計量米びつ付き精米機である。
【００１１】
精米機本体１及び計量米びつ２は、幅面より側面が前後方向に長い偏平形状をなし、収納空間の有効利用を考慮した形状になっている。精米機本体１は、前面上部に、運転のスタート・ストップボタン３、精米度調整ダイヤル４を備え、下部の引き出し式の収納ケース５の内部に米受け容器６、ぬか受け容器７が収納されている。内部の機構は、図２に示すように、上部に精米機ホッパー８が設けられ、その下部に精米機構部９が設けられる。
【００１２】
計量米びつ２は、上部に蓋１１が被せられ、内底部に外部から操作可能な計量排出器１２が設けられ、その計量排出器１２の下部に投入口セット１３が設けられる。投入口セット１３は精米機ホッパー８の上部に臨む。この投入口セット１３は再精米時に使用されるものであり、図２に２点鎖線で示すように、投入用ホッパー１４を引き出せるようになっている。
【００１３】
上記の収納ケース５と米受け容器６及びぬか受け容器７は、図３から図５に示すようなものである。即ち、収納ケース５は、前壁１５の背面側に浅い収納部１６を設けたものであり、前壁１５の上部前面に指掛け部１７が設けられる。収納部１６の内部は、前壁１５側からみて右側が米受け容器収納部１８（図４参照）、左側がぬか受け容器収納部１９となっている。右側の米受け容器収納部１８の底面に比べ、左側のぬか受け容器収納部１９の底面は段差をもって高く形成される。また、米受け容器収納部１８とぬか受け容器収納部１９との間を区画するために、前壁１５側と後壁２１側からそれぞれ内方に突き出した前部間仕切り２２と後部間仕切り２２’が設けられる。
【００１４】
上記の段差は、各容器６、７の開口部の高さを精米機構部９の米排出口、ぬか排出口の高さに適合させるためであり、図示の場合、ぬか受け容器収納部１９の方が高く形成されている。また、各容器６、７は前後の間仕切り２２、２２’と収納部１６の壁面とに囲まれ、これにより収納ケース５に対し左右前後方向に位置決めされる。
【００１５】
上記の各米受け容器収納部１８とぬか受け容器収納部１９の底面の中央部を下方にわん曲させてその下面に位置決め用小突起２３、２３が設けられ、精米機本体１の底壁に設けた位置決め孔２４（図３参照）に軽く嵌合するようになっている。これにより、収納ケース５が精米機本体１に対して位置決めされる。
【００１６】
米受け容器６とぬか受け容器７は、密閉式の蓋２５（図３参照）を有する一般の市販容器であり、その蓋２５を外して使用に供される。各容器６、７は同一形状であり、平面形状が長円形であって所要の高さを有する。また、開口部の外周にリブ２６が設けられ、このリブ２６に蓋２５の周縁部の下面が押し当てられる。また、リブ２６より上部の外周面に蓋２５の周縁部の内面が密着される。
【００１７】
実施形態の精米機は以上のようなものであり、これを使用する場合は、計量米びつ２に玄米を貯蔵しておき、必要に応じて計量排出器１２を操作して所要量の玄米を精米機ホッパー８に落下させ、スタート・ストップボタン３を操作して精米機構部９を駆動させる。精米された米は米受け容器６に排出され、ぬかはぬか受け容器７に排出される。
【００１８】
精米度は、精米度調整ダイヤル４により調整されるが、精米度が不足する場合は、投入ホッパー１４を引き出し（図２の２点鎖線参照）、米受け容器６内の米をここから投入し、再度精米を行う。
【００１９】
精米完了後に収納ケース５の指掛け部１７に指を掛けて引き出し、各容器６、７を取り出す。取り出した容器６、７をそのまま米及びぬかの保存容器として使用する場合は、それぞれを蓋２５で密閉し、冷蔵庫等に収納して保存する。収納ケース５にはこれらの容器６、７に替えて他の同様の市販容器を入れ、新たな米受け容器６、及びぬか受け容器７として使用する。
【００２０】
なお、以上の実施形態は、精米機本体１の上に計量米びつ２を載置した計量米びつ付き精米機を示しているが、独立した精米機の場合でも同様である。
【００２１】
【発明の効果】
以上のように、この発明によれば、精米機の米受け容器及びぬか受け容器を収納ケースに収納したことにより、各容器としては専用品を用いることなく、一般の市販品をそのまま使用することができる。従って、精米機から取り出した各容器内の米やぬかを保存しようとする場合は、各容器に蓋を施すだけで保存することができ、また代替の米受け容器及びぬか受け容器としては市販品を使用することができる便利さがある。
【００２２】
さらに、収納ケースを精米機本体に対し位置決めし、さらに米受け容器及びぬか受け容器を収納ケースに対して位置決めすることにより、各容器を米排出口及びぬか排出口に正しく位置させることができる。
【図面の簡単な説明】
【図１】実施形態の斜視図
【図２】同上の一部省略断面図
【図３】同上の分解斜視図
【図４】（ａ）同上の収納ケースの斜視図
（ｂ）（ａ）図の断面図
【図５】図４（ｂ）のV −V 線の拡大断面図
【符号の説明】
１  精米機本体
２  計量米びつ
３  スタート・ストップボタン
４  精米度調整ダイヤル
５  収納ケース
６  米受け容器
７  ぬか受け容器
８  精米機ホッパー
９  精米機構部
１１  蓋
１２  計量排出器
１３  投入口セット
１４  投入用ホッパー
１５  前壁
１６  収納部
１７  指掛け部
１８  米受け容器収納部
１９  ぬか受け容器収納部
２１  後壁
２２  前部間仕切り
２２’  後部間仕切り
２３  小突起
２４  位置決め孔
２５  蓋
２６  リブ
【図１】
0003708415.tif 000002
【図２】
0003708415.tif 000003
【図３】
0003708415.tif 000004
【図４】
0003708415.tif 000005
【図５】
0003708415.tif 000006